(57)【要約】      （修正有）【課題】異なるサイズの電池を収納することのできる電池収納ケースを提供する。【解決手段】サイズの異なる複数種の円筒状電池を収納する電池収納ケースであり、側面の内側に第１係止部７が設けられたケース本体１と、前記ケース本体１の内部に設けられ、円筒状電池を載置して保持する保持材３と、を具備する。前記保持材３は、前記第１係止部７に係止する第２係止部５を有し、前記第１係止部７及び前記第２係止部５は、前記保持材３の高さを調整できるように複数の位置で係止可能である。【選択図】図１
2007324032.tif 000002
【特許請求の範囲】
【請求項１】
サイズの異なる複数種の円筒状電池を収納する電池収納ケースであって、
側面の内側に第１係止部が設けられたケース本体と、
前記ケース本体の内部に設けられ、円筒状電池を載置して保持する保持材と、
を具備し、
前記保持材は、前記第１係止部に係止する第２係止部を有し、
前記第１係止部及び前記第２係止部は、
前記保持材の高さを調整できるように複数の位置で係止可能である
電池収納ケース。
【請求項２】
請求項１に記載された電池収納ケースであって、
前記第１係止部及び前記第２係止部は、
サイズの異なる円筒状電池のうちの何れが前記保持材に保持されても、保持された円筒状電池の上端を同じ高さに調節可能に形成されている
電池収納ケース。
【請求項３】
請求項１又は２に記載された電池収納ケースであって、
前記第１係止部及び前記第２係止部のうちのいずれか一方は、
収納する円筒状電池のサイズ毎に対応して設けられた複数の第１溝と、
前記複数の第１溝同士を接続する第２溝と、
を有し、
前記第１係止部及び前記第２係止部のうちの他方は、
前記各第１溝間を、前記第２溝を介して移動する事ができる大きさの突起である
電池収納ケース。
【請求項４】
請求項３に記載された電池収納ケースであって、
前記複数の第１溝の各々は、鉛直方向に延び、
前記第２溝は、前記各第１溝の上端同士を接続し、
前記複数の第１溝の底部の高さは、円筒状電池のサイズに対応して異なっている
電池収納ケース。
【請求項５】
請求項２乃至４のいずれかに記載された電池収納ケースであって、
前記第１係止部及び前記第２係止部は、
サイズの異なる円筒状電池のうちの何れが前記保持材に保持されても、保持された円筒状電池の上端を前記ケース本体の上面内側の高さに合わせることができるように形成されている
電池収納ケース
【請求項６】
請求項１乃至４のいずれかに記載された電池収納ケースであって、
前記保持材の上面には、異なる複数のサイズの円筒状電池の外周面に当接する複数の保持溝が重なるように形成されており、
前記複数の保持溝のうち、サイズの小さい円筒状電池の外周面に対応する前記保持溝ほど内側に形成されている
電池収納ケース。
【請求項７】
請求項１乃至６のいずれかに記載された電池収納ケースであって、
更に、
前記保持材に保持された円筒状電池と電気的接続を行うためのプラス電極及びマイナス電極、
を具備し、
前記プラス電極及び前記マイナス電極のうちの一方は、
前記ケース本体の側面内側に設けられ、
収納方向に長い縦長形状をしている
電池収納ケース。
【請求項８】
請求項１乃至７のいずれかに記載された電池収納ケースであって、
前記プラス電極及び前記マイナス電極のうちの他方は、前記ケース本体に弾性体を介して取り付けられている
電池収納ケース。
【請求項９】
請求項８に記載された電池収納ケースであって、
前記プラス電極及び前記マイナス電極のうちの他方は、円筒状電池のサイズに対応して、高さの異なる複数の位置に設けられた複数の突起を有している
電池収納ケース。
【発明の詳細な説明】
【技術分野】
【０００１】
本発明は、電池を収納する電池収納ケースに関する。
【背景技術】
【０００２】
電池を用いる装置には、通常、電池を装着する為の電池収納ケースが備えられている。
【０００３】
電池としては、例えば乾電池などの円筒状電池が知られている。円筒状電池には、例えば乾電池では単一型、単二型、単三型、といったように、複数の異なるサイズのものが存在することがある。
【０００４】
従来の電池収納ケースは、１種類のサイズのみを収納できるように構成されていた。その装置を用いるには、決められたサイズの電池を常備しておく必要があった。しかしながら、特定のサイズの電池を常備しておく事は容易ではない。従って、異なるサイズの電池を収納することのできる電池収納ケースが望まれる。
【０００５】
電池収納ケースに異なるサイズの電池を収納する為に、例えば特許文献１には、変換用のアダプタを用いることが記載されている。しかし、アダプタは別部品となるので、アダプタを紛失した場合には別サイズの電池を収納することができなかった。従って、電池収納ケースそのものを、異なるサイズの電池を収納できる構造にする事が望まれる。
【０００６】
上記と関連して、特許文献２には、ケース本体の内部に、乾電池の受け部材を設置することが記載されている。その受け部材には、異種乾電池の各外周面に当接する上面が形成されており、外径の小さな乾電池に対する上面ほどケース本体の底部側に位置していることが記載されている。また、ケース本体の長手方向に対向して一対の正極側端子と負極側端子が設置されており、正極側端子と負極側端子のうちの少なくとも一方は、ケース本体の長手方向における位置が可変とされていることが記載されている。
【０００７】
また、特許文献３には、異なる寸法の電池を収納する電池パックにおいて、収納部の正負いずれかの電極板を、弾性部材を介して取り付けることが記載されている。
【０００８】
また、特許文献４には、ケース本体の長さ方向の一端寄りに起立倒伏可能に設けられたフラップを有する事で、異なるサイズの電池を収納する構造とした電池ケースが記載されている。
【０００９】
また、特許文献５には、第１の電池を収納する際に位置を制御する第１のストッパーと、第２の電池を収納する際に位置を制御する第２のストッパーと、第２の電池を収納する際に第１のストッパーを回避させる手段を備える事が記載されている。
【００１０】
また、特許文献６には、二次電池パックの外周面に電池挿入方向と平行な凹溝を設け、ホルダケースの内周面にその凹溝に嵌合する凸部を設ける事で、一次電池と二次電池パック双法を収納する電池ホルダ、が記載されている。
【００１１】
ところで、電池収納ケースに電池を収納する際には、電池の脱落などが起こらないように確実に固定させて収納させる必要がある。また、電池を着脱する際には、容易に取り外しが可能である事が求められる。これらの観点では、上記の技術は未だ不十分であった。
【特許文献１】実開平５−６６８６８号  公報
【特許文献２】特開２０００−１４９８９６号  公報
【特許文献３】特開２００１−２１０２９０号  公報
【特許文献４】特開平９−２８９００４号    公報
【特許文献５】特開平１１−９６９８４号  公報
【特許文献６】特開平１１−２９７２８７号  公報
【発明の開示】
【発明が解決しようとする課題】
【００１２】
本発明の目的は、異なるサイズの電池を収納することのできる電池収納ケースを提供する事にある。
本発明の他の目的は、異なるサイズの電池を、確実に固定させて収納することのできる電池収納ケースを提供する事にある。
本発明の更に他の目的は、異なるサイズの電池を、容易に着脱可能に収納することのできる電池収納ケースを提供する事にある。
【課題を解決するための手段】
【００１３】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【００１４】
本発明にかかる電池収納ケース（１００）は、サイズの異なる複数種の円筒状電池（２）を収納するものである。電池収納ケース（１００）は、側面の内側に第１係止部（７）が設けられたケース本体（１）と、ケース本体（１）の内部に設けられ、円筒状電池（２）を載置して保持する保持材（３）と、を具備する。保持材（３）は、第１係止部（７）に係止する第２係止部（５）、を有する。第１係止部（７）及び第２係止部（５）は、保持材（３）の高さを調整できるように複数の位置で係止可能である。
このような構成に依れば、保持材（３）の高さを調整することで、乾電池が収納方向に占めるスペースの大きさが異なっていても空きスペースを無くすことができるので、異なるサイズの電池を収納することができる。
【００１５】
上記の電池収納ケース（１００）において、第１係止部（７）及び第２係止部（５）は、サイズの異なる円筒状電池（２）のうちの何れが保持材（３）に保持されても、円筒状電池（２）の上端を同じ高さに調整可能に形成されていることが好ましい。
このような構成に依れば、第１係止部（７）と第２係止部（５）との係止位置によって、保持材（３）の高さが調節可能であるので、いずれのサイズの円筒状電池（２）が載置された際にも、電池の上端を同じ高さに位置させる事ができる。電池の上端と特定の高さに位置させる事で、ケース本体（１）の収納方向側（上側）から、容易に電池を固定することができる。
【００１６】
上記の電池収納ケース（１００）において、第１係止部（７）及び第２係止部（５）のうちのいずれか一方は、収納する円筒状電池（２）のサイズ毎に対応して設けられた複数の第１溝（７４）と、複数の第１溝（７４）同士を接続する第２溝（７５）と、を有する。第１係止部（７）及び第２係止部（５）のうちの他方は、各第１溝（７４）間を、第２溝（７５）を介して移動する事ができる大きさの突起であることが好ましい。
【００１７】
上記の電池収納ケース（１００）において、複数の第１溝（７４）の各々は、鉛直方向に延び、第２溝（７５）は、各第１溝（７４）の上端同士を接続し、複数の第１溝（７４）の底部が位置する高さは、円筒状電池（２）のサイズに対応して異なっていることが好ましい。
【００１８】
上記の電池収納ケース（１００）において、第１係止部（７）及び第２係止部（５）は、サイズの異なる円筒状電池（２）のうちの何れが保持材（３）に保持されても、円筒状電池（２）の上端をケース本体（１）の上面内側の高さに合わせることができるように形成されていることが好ましい。
ケース本体の上面は、通常、電池収納時にカバー等によって閉じられる。円筒状電池（２）の上端をケース本体の上面内側に合わせることによって、電池収納時にはカバー等によって自動的に円筒状電池（２）が固定されるこになる。即ち、何れのサイズの電池を収納する際も、着脱が容易であり、確実に固定する事ができる。
【００１９】
上記の電池収納ケース（１００）において、保持材（３）の上面には、異なる複数のサイズの円筒状電池（２）の外周面に当接する複数の保持溝（４）が重なるように形成されており、複数の保持溝（４）は、サイズの小さい円筒状電池（２）の外周面に対応するものほど内側に形成されていることが好ましい。
【００２０】
上記の電池収納ケース（１００）は、更に、保持材（３）に保持された円筒状電池（２）と電気的接続を行うためのプラス電極（８）及びマイナス電極（９）、を具備し、プラス電極（８）及びマイナス電極（９）のうちの一方は、ケース本体（１）の側面内側に設けられ、上下方向に長い縦長形状をしていることが好ましい。
異なるサイズの電池が収納される場合には、電池側電極の高さも異なることになる。ケース本体（１）に設けられた電極が、上下方向に長い縦長形状をしている事により、電池側電極の高さが異なっていても電気的接続を果たす事ができる。
【００２１】
上記の電池収納ケース（１００）において、プラス電極（８）及びマイナス電極（９）のうちの他方は、ケース本体（１）に弾性体（１２）を介して取り付けられていることが好ましい。
電極が弾性体を介して取り付けられている事により、電池のサイズが異なっていても、容易に電池側電極とケース側の電極とを接続させる事ができる。
【００２２】
上記の電池収納ケース（１００）において、プラス電極（８）及びマイナス電極（９）のうちの他方は、円筒状電池（２）のサイズに対応して、高さの異なる複数の位置に設けられた複数の突起（１１）を有していることが好ましい。
電極が複数の突起（１１）を有していることにより、電池側の電極の高さが異なっていてても電池側電極とケース側の電極とを接続させることができる。
【発明の効果】
【００２３】
本発明に依れば、異なるサイズの電池を収納することのできる電池収納ケースが提供される。
本発明に依れば、更に、異なるサイズの電池を、確実に固定させて収納することのできる電池収納ケースが提供される。
本発明に依れば、更に、異なるサイズの電池を、容易に着脱可能に収納することのできる電池収納ケースが提供される。
【発明を実施するための最良の形態】
【００２４】
図面を参照して、本発明の実施形態について説明を行う。図１は、本実施形態に係る電池収納ケース１００の構成を示す斜視図である。電池収納ケース１００は、円筒状電池２を収納するためのものである。本実施の形態では、円筒状電池２が乾電池であり、サイズの異なる３種類の乾電池を収容する場合を例として説明する。尚、以下の説明にあたり、電池の収納方向を上下方向とし、電池は上方から電池収納ケース１００へ収納されるものとする。
【００２５】
電池収納ケース１００は、製品筐体１０の一部に設けられたケース本体１と、電池カバー１３と、保持材３と、ガイド板１６と、を有している。尚、図１において、説明の便宜上、保持材３やガイド板１６は、ケース本体１から独立させて描かれているが、実際には、保持材３はケース本体１の内部に設けられ、ガイド板１６はケース本体１の上部に取り付けられている。
【００２６】
ケース本体１は、製品筐体１０の一部に設けられた直方体状の空間であり、上面が開口している。ケース本体１の内側には、プラス電極８、マイナス電極９、係止溝７、バネ１２、及びガイド板用嵌合部１５Ａ、が設けられている。
【００２７】
係止溝７は、ケース本体１の長手方向に平行な側面（両側壁６）に設けられている。図１には、２つの両側壁６のうちの一方のみに描かれているが、実際には両方に設けられている。図６は、係止溝７を正面から見た時の図である。係止溝７は、一の両側壁６に２つ設けられている。一の係止溝７は、３本の第１溝７４と、各第１溝７４の上端同士を接続する一本の第２溝７５とを有している。
【００２８】
３本の第１溝７４の各々は、いずれも鉛直方向に延びるように設けられている。３本の第１溝７４（７４ａ，７４ｂ，７４ｃ）の底部の高さは、それぞれ異なっている。各第１溝（７４ａ、７４ｂ、７４ｃ）の底部の高さは、収納される乾電池のサイズに対応して決定されている。いずれのサイズの乾電池が収納される場合でも、乾電池のサイズに対応する第１溝７４にて係止突起部５を係止させれば、保持材３に保持された乾電池の上端がケース本体１の開口面の高さに一致するようになっている。
【００２９】
図１に戻る。プラス電極８は、ケース本体１の側面のうちで両側壁６に直交する２面の片面に設けられている。プラス電極８は、上下方向に長い縦長形状である。詳細は後述するものの、このようにプラス電極８が縦長形状をしている事で、電池側の電極の高さがいずれの高さであった場合にも、ケース本体１側のプラス電極８を電池側の電極に接続することができる。
【００３０】
また、プラス電極８の短辺方向両脇には、断面がＬ字型の電極固定部１４が配置されている。プラス電極８は、２つの電極固定部１４とケース本体１の側面とで挟まれるようにして固定されている。プラス電極８の中央部は、電極固定部１４により覆われておらず、剥き出しとなっている。電極固定部１４は、逆接防止のために設けられている。即ち、誤って乾電池のマイナス電極がプラス電極８側を向いて収納されたとしても、電池側の電極は電極固定部１４に遮られて、ケース本体１のプラス電極８とは接触しない。
【００３１】
バネ１２は、ケース本体１において、プラス電極８の設けられた側面に対向する側面に取り付けられている。そして、バネ１２の他端には、プラス電極８に対向するようにしてマイナス電極９が取り付けられている。
【００３２】
マイナス電極９には、複数の突起部１１が設けられている。複数の突起部１１は、収納すべき乾電池のサイズに対応した高さに設けられている。いずれのサイズの乾電池が収納された際にも、対応する高さに設けられた突起部１１にて電気的接続を行うことができるようになっている。
【００３３】
続いて、図１及び図７を参照して、保持材３について説明する。図７は、保持材３の断面図である。保持材３は、乾電池を載置して保持するものである。保持材３には、取手部１９、係止突起部５、及び複数の保持溝（４ａ、４ｂ、４ｃ）が設けられている。
【００３４】
複数の保持溝（４ａ、４ｂ、４ｃ）は、ケース本体１の長手方向に平行に延びるように設けられている。また、図７に示されるように、複数の保持溝４は重なるように設けられている。各保持溝４は曲面で形成されている。複数の保持溝４のうち、両脇の保持溝４ｃは、最もサイズの大きい乾電池（２−１）の外周面に対応した溝である。内側（下方）に設けられた保持溝４ほど、サイズの小さい乾電池の外周面に対応した曲面で形成されている。
【００３５】
このように、各サイズの乾電池の外周面に対応した溝が、重なるように配置されている事により、異なるサイズの乾電池を同じ場所に載せることができる。
【００３６】
係止突起部５は、保持材３の側部に設けられた突起である。係止突起部５は、ケース本体の係止溝７に対応して設けられている。係止突起部５が係止溝７に係止する事によって、保持材３はケース本体１の内部に保持される。
【００３７】
取手部１９は、保持材３の上部両脇に設けられた切り欠きである。ユーザは、取手部１９をつまむ事により、係止突起部５と係止溝７との係止位置を調節できる。これにより、保持材３の位置を調節することができる。
【００３８】
ガイド板１６は、ケース本体１の上面のうちで、バネ１２の上部に対応する部分を閉じるように配置されている。ガイド板１６には、ガイド板用嵌合部１５Ｂとして突起が設けられており、ケース本体１に設けられたガイド板用嵌合部１５Ａと嵌合する。ガイド板１６は、電池収納時や取りだし時において、マイナス電極９の動きをガイドし、マイナス電極９がケース本体１外へ脱落することを防止している。
【００３９】
電池カバー１３は、保持材３及びガイド板１６の上から、ケース本体１の上面を被覆する。電池カバー１３には、三つの固定爪１７、１８が設けられており、ケース本体側に設けられた嵌合部２０、２１と嵌合することで、ケース本体１の上面をカバーする。
【００４０】
上述のような構成を有する電池収納ケース１００において、電池を収納する際には、まず、電池カバー１３が取り外された状態で、乾電池を保持材３に載置させる。この時、既述のように、乾電池はサイズに対応した保持溝４に当接して支持される。
【００４１】
続いて、保持材３の位置が調節される。ここで、乾電池のサイズに対応して、係止突起部５をいずれの第１溝７４に係止させるかが決められている。例えば、サイズの小さい乾電池２−３を収納する場合には、係止突起部５を第１溝７４ａに係止させる。この時、乾電池２−３の上端がケース本体１の開口面の高さに一致する。一方、サイズの大きい乾電池２−１を収納する場合には、第１溝７４ｃに係止突起部５を係止させることで、乾電池の上端をケース本体１の開口面の高さに一致させることができる。ユーザは、このような係止位置の調節を、取手部１９を掴むことで容易に行う事ができる。
【００４２】
続いて、乾電池を収納した状態の構造について説明する。図２、図４は、電池収納ケース１００が、最も小さいサイズの乾電池（２−３）を２本直列に接続して収納した時の断面図である。図２は、図１のＡＡ’面による断面図であり、図３はＢＢ’面による断面図である。一方、図３、図５は、最も大きいサイズの乾電池（２−１）を同様に収納したときの断面図である。図３は、図１のＡＡ’面による断面図であり、図５はＢＢ’面による断面図である。尚、図２、３において、電池カバー１３の図示は省略されている。
【００４３】
図４に示されるように、乾電池２−３は、保持材３に載置された状態で収納される。ここで、乾電池２−３は、複数の保持溝４のうちの最も内側に位置する保持溝４ａに当接する。また、保持材３の係止突起部５は係止溝７に係止している。この時、図６に示される係止溝７のうちで最も底部の高い第１溝７４aにおいて係止する。そして、既述のように、乾電池２−３の上端の高さは、電池カバー１３の内側面（ケース本体１の上面）に一致する。
【００４４】
一方、図５に示されるように、サイズの大きい乾電池２−１を収納する際には、乾電池２−１は保持材３の最も外側に位置する保持溝４ｃに当接して支持される。保持材３と係止溝７との係止は、図６に示される係止溝７のうち、最も底部の低い第１溝７４ｃにおいて行われる。保持溝４ｃに載置された状態で、乾電池２−１の上端の高さは、乾電池２−１を収納した時と同様に、電池カバー１３の内側面に一致する。
【００４５】
また、図２に示されるように、乾電池２−３を収納する際には、乾電池側のマイナス電極は、ケース本体１側のマイナス電極９に設けられた複数の突起部１１ａ、ｂ、ｃのうちで最も高い位置に設けられた突起部１１ａに接続される。これに対して、図３に示されるように、乾電池２−１を収納する際には、乾電池側のマイナス電極は、複数の突起部１１ａ，ｂ，ｃのうちで最も低い位置に設けられた突起部１１ｃに接続される。
【００４６】
また、プラス電極側では、乾電池２−３の収納時にはプラス電極８の上部で接続が行われ（図２参照）、乾電池２−１の収納時にはより低い位置にて接続が行われる（図３参照）。
【００４７】
以上説明したように、本実施形態によれば、乾電池を保持する保持材３を設け、ケース本体１側面に設けられた係止溝７によって保持材３の高さを調整可能にすることで、異なるサイズの乾電池を同じケースに収納することができる。また、マイナス電極９がバネ１２によって弾性的に支持されることで、乾電池の長さ方向のスペースの調整を自動的に行うことができる。
【００４８】
また、何れのサイズの乾電池においても上端を電池カバー１３の内側面の高さに一致させることができるので、乾電池の収納時においては、電池カバー１３を装着すれだけで自動的に円筒状電池を固定することができる。
【００４９】
更に、通常では、サイズの小さい電池を収納した場合には、電池が収納ケースの奥側に配置されることが多く、取り出し難くなることがある。これに対して、本実施の形態に依れば、収納された乾電池のサイズが小さくても、乾電池は収納方向側に配置されることになるので、容易に装着、取出しを行う事ができる。
【図面の簡単な説明】
【００５０】
【図１】本発明にかかる電池収納ケースの斜視図である。
【図２】本発明にかかる電池収納ケースの電池を収納した状態における断面図である。
【図３】本発明にかかる電池収納ケースの電池を収納した状態における断面図である。
【図４】本発明にかかる電池収納ケースの電池を収納した状態における断面図である。
【図５】本発明にかかる電池収納ケースの電池を収納した状態における断面図である。
【図６】係止溝の形状を示す図である。
【図７】保持材の断面図である。
【符号の説明】
【００５１】
１      ケース本体
２      乾電池
３      保持材
４      保持溝
５      係止突起部
６      両側壁
７      係止溝
８      プラス電極
９      マイナス電極
１０    製品筐体
１１    突起部
１２    バネ
１３    電池カバー
１４    電極固定部
１５Ａ  ガイド板用嵌合部
１５Ｂ  ガイド板用嵌合部
１６    ガイド板
１７    固定爪
１８    固定爪
２０    嵌合部
２１    嵌合部
７４    第１溝
７５    第２溝
１００  電池収納ケース
【図１】
2007324032.tif 000003
【図２】
2007324032.tif 000004
【図３】
2007324032.tif 000005
【図４】
2007324032.tif 000006
【図５】
2007324032.tif 000007
【図６】
2007324032.tif 000008
【図７】
2007324032.tif 000009